(57)【特許請求の範囲】
【請求項１】
鉄骨梁と、この鉄骨梁に固定され、陸屋根の屋根材を支持する支持金具と、外壁材の上方側で上記支持金具により形成される外気通路と、上記外壁材の上端よりも上側に位置する壁面部に形成された外気取入口と、上記鉄骨梁に形成された開口を通り上記外気通路に通じる小屋裏換気路と、上記鉄骨梁および上記開口を被覆する耐火材とを備えており、
上記陸屋根の最も端側の屋根材は当該最も端側の屋根材の隣の屋内側の屋根材よりも薄肉で上記隣の屋内側の屋根材と上面が略面一に設けられることで下側に空間部が形成されており、この空間部が上記外気通路の上側部を構成しており、
上記陸屋根の最も端側の屋根材および上記隣の屋内側の屋根材はコンクリートを素材とする屋根材であり、
上記耐火材は、上記鉄骨梁よりも屋外側に位置する上記隣の屋内側の屋根材の下面側にも設けられることを特徴とする陸屋根換気構造。
【請求項２】
鉄骨梁と、この鉄骨梁に固定され、陸屋根の屋根材を支持する支持金具と、外壁材の上方側で上記支持金具により形成される外気通路と、上記外壁材の上端よりも上側に位置する壁面部に形成された外気取入口と、上記鉄骨梁に形成された開口を通り上記外気通路に通じる小屋裏換気路と、上記鉄骨梁および上記開口を被覆する耐火材とを備えており、
上記陸屋根の最も端側の屋根材は当該最も端側の屋根材の隣の屋内側の屋根材よりも薄肉で上記隣の屋内側の屋根材と上面が略面一に設けられることで下側に空間部が形成されており、この空間部が上記外気通路の上側部を構成しており、
上記陸屋根の最も端側の屋根材および上記隣の屋内側の屋根材はコンクリートを素材とする屋根材であり、
上記支持金具は、上記陸屋根の最も端側の屋根材を、上記鉄骨梁よりも屋外側となる位置で支持し且つ、上記隣の屋内側の屋根材を、上記鉄骨梁上で支持することを特徴とする陸屋根換気構造。
【請求項３】
請求項１または請求項２に記載の陸屋根換気構造において、上記壁面部に樋が設けられていることを特徴とする陸屋根換気構造。
【請求項４】
請求項３に記載の陸屋根換気構造において、上記樋よりも上側に上記外気取入口が形成されていることを特徴とする陸屋根換気構造。
【請求項５】
請求項３または請求項４に記載の陸屋根換気構造において、上記樋よりも上側に軒先部が形成されており、この軒先部と上記樋との間に、上記外気取入口に通じる換気装置が設けられていることを特徴とする陸屋根換気構造。
【発明の詳細な説明】
【技術分野】
【０００１】
この発明は、陸屋根の小屋裏内に外気を取り入れる陸屋根換気構造に関する。
【背景技術】
【０００２】
特許文献１には、陸屋根を有する建物の屋内と屋外とを換気する換気装置が開示されている。この換気装置は、建物の屋内と屋外とを仕切る外壁の開口に取り付けられ、内部空間が屋内に連通する中空の装置本体と、装置本体の外壁側を覆う位置に取り付けられる化粧カバーを備えている。化粧カバーの屋外側の面は、建物の外壁表面と略同一視される面上に形成されている。
【０００３】
また、特許文献２には、換気装置が開示されている。この換気装置は、断面がリップ溝型状で長手方向に沿って凹部が形成された本体部と、上記本体部内で上記長手方向に沿って配置された水返し板とを備えている。上記本体部の凹部には対向配置で第１換気口が形成されており、上記対向配置された第１換気口の間の凹部底部の裏面に対向する側には上記長手方向に沿って第２換気口が形成されている。
【先行技術文献】
【特許文献】
【０００４】
【特許文献１】特開２００４−２１１９５６号公報
【特許文献２】特開２０１４−１９００８０号公報
【発明の概要】
【発明が解決しようとする課題】
【０００５】
ところで、陸屋根の建物では、外壁材の上端が陸屋根の極力近くに至るようにする方が美観を向上させる上で望ましい。しかしながら、上記従来の換気構造を有する陸屋根建物では、このような要求を満たすことはできなかった。
【０００６】
この発明は、上記の事情に鑑み、外壁材の上端を陸屋根の近くに極力近づけつつ、確実な換気を行うことを容易にする陸屋根換気構造を提供することを課題とする。
【課題を解決するための手段】
【０００７】
この発明の陸屋根換気構造は、上記の課題を解決するために、鉄骨梁と、この鉄骨梁に固定され、陸屋根の屋根材を支持する支持金具と、外壁材の上方側で上記支持金具により形成される外気通路と、上記外壁材の上端よりも上側に位置する壁面部に形成された外気取入口と、上記鉄骨梁に形成された開口を通り上記外気通路に通じる小屋裏換気路と、上記鉄骨梁および上記開口を被覆する耐火材とを備えることを特徴とする。
【０００８】
上記の構成であれば、上記外気通路は外壁材の上方側で上記支持金具により形成されるので、上記外壁材の上端を上記支持金具の箇所に近づけても上記外気通路を確保することが容易である。よって、外壁材の上端を陸屋根の近くに極力近づけつつ、確実な換気を行うことが容易になる。また、例えば、建方工事にて軒先の屋根材を固定した後でも、上記外気通路を利用して屋外側から上記鉄骨梁の屋外側の耐火材の被覆工事を行うことを可能にできるので、上記鉄骨梁の屋外側の耐火材の被覆工事のために上記軒先の屋根材の固定作業を遅らせる必要がなく、作業が効率的になる。
【０００９】
上記陸屋根の最も端側の屋根材は他の屋根材よりも薄肉で上記他の屋根材と上面が略面一に設けられることで下側に空間部が形成されており、この空間部が上記外気通路の上側部を構成するようにしてもよい。これによれば、外壁材の上端を陸屋根の近くに極力近づけても、上記外気通路において所要の容量を確保することが容易になる。
【００１０】
上記支持金具は、下面側に脚部を上記鉄骨梁の延設方向に間隔をおいて備えており、上記脚部の屋内側が上記鉄骨梁に固定されており、上記屋内側の部分を介して上記他の屋根材が支持されており、上記脚部の屋外側には嵩上げ部が設けられており、上記嵩上げ部上に上記最も端側の屋根材が置かれていてもよい。
【００１１】
上記壁面部に樋が設けられていてもよい。また、上記樋よりも上側に上記外気取入口が形成されていてもよい。また、上記樋よりも上側に軒先部が形成されており、この軒先部と上記樋との間に、上記外気取入口に通じる換気装置が設けられていてもよい。これによれば、上記換気装置や軒先部が上記樋によって隠されるので、建物の美観が向上する。
【発明の効果】
【００１２】
本発明であれば、外壁材の上端を陸屋根の近くに極力近づけつつ、確実に換気が行えるという効果を奏する。
【図面の簡単な説明】
【００１３】
【図１】本発明の実施形態に係る陸屋根換気構造を示した概略の断面図である。
【図２】図１の陸屋根換気構造で用いた支持金具を示した図であって、同図（Ａ）は平面図、同図（Ｂ）は正面図、同図（Ｃ）は側面図である。
【図３】同図（Ａ）および同図（Ｂ）は、図１の陸屋根換気構造における屋根材の支持構造および支持金具を示した説明図である。
【００１４】
以下、この発明の実施の形態を添付図面に基づいて説明する。
図１に示すように、この実施形態に係る陸屋根換気構造は、陸屋根１を有し、梁として鉄骨梁（例えばＨ形鋼）２を有した鉄骨造りの建物に適用される。上記陸屋根１の最も端側（軒先側）の屋根材１１は、水上側の他の屋根材１２よりも薄肉であり、上記他の屋根材１２と上面が略面一に設けられている。上記屋根材１１、１２は例えば、ＡＬＣ（Ａｕｔｏｃｌａｖｅｄ Ｌｉｇｈｔｗｅｉｇｈｔ Ｃｏｎｃｒｅｔｅ）からなる。
【００１５】
また、上記建物の外壁は外壁パネル３によって形成されている。この外壁パネル３の上端は上記鉄骨梁２の下側フランジよりも上方に位置している。ただし、外壁パネル３の上端は、上記鉄骨梁２の上側フランジの位置よりも下方に位置しており、外壁パネル３の裏面は、上記鉄骨梁２のフランジの屋外側端から離間している。また、上記建物において、上記鉄骨梁２の下側フランジの下側に天井４が造られている。
【００１６】
上記鉄骨梁２の上側フランジ上には支持金具５がボルト５０によって固定されている。上記支持金具５は、図２（Ａ）、図２（Ｂ）および図２（Ｃ）にも示すように、脚部５１と、板部材５２と、嵩上げ部５３とを備えている。上記脚部５１は上記鉄骨梁２の延設方向に間隔をおいて２本設けられる。また、上記脚部５１は板状部の両縁にそれぞれ折り曲げ片を有した断面コ字形状を有しており、上記板状部を下側にし、上記折り曲げ片を上方に向けて設けられている。
【００１７】
上記板部材５２は上記鉄骨梁２の延設方向に長尺に形成されており、上記２本の脚部５１上に掛け渡されている。なお、上記板部材５２上には、ＡＬＣ用パッキン材が設けられていている。
【００１８】
上記嵩上げ部５３は、屋内側鉛直部５３ａと、２つの屋外側鉛直部５３ｂと、水平板部５３ｃとからなる。上記屋内側鉛直部５３ａは上記鉄骨梁２の延設方向に長尺に形成されており、その下部は上記脚部５１に接続されている。また、上記屋外側鉛直部５３ｂは、上記脚部５１の幅と同幅に形成されており、上記脚部５１の屋外側端から上記水平板部５３ｃの下面にかけて設けられ、その上部は上記水平板部５３ｃに接続され、下部は上記脚部５１に接続されている。上記水平板部５３ｃは、上記鉄骨梁２の延設方向に長尺に形成されており、また、上記屋外側鉛直部５３ｂよりも屋外側に出ている。
【００１９】
図３（Ａ）および図３（Ｂ）にも示すように、上記脚部５１の屋内側部位が上記ボルト５０によって、上記鉄骨梁２に固定されており、上記板部材５２上に上記他の屋根材１２が支持されている。そして、上記脚部５１の屋外側部位に位置する上記嵩上げ部５３によって上記最も端側の屋根材１１が支持されている。
【００２０】
上記他の屋根材１２には貫通孔１２ａが形成されており、この貫通孔１２ａにセットされた留め金具７の下端部が上記板部材５２の下面に係合することで、当該他の屋根材１２が上記支持金具５を介して上記鉄骨梁２に固定される。また、上記最も端側の屋根材１１は、ビス７１によって上記嵩上げ部５３における上記水平板部５３ｃに留め付けられている。
【００２１】
図１に示したように、上記外壁パネル３の上端から上記支持金具５により形成される空間によって外気通路６が形成されている。そして、上記外壁パネル３の上端よりも上側であって、当該外壁パネル３の外面よりも外側に位置する壁面部３１に上記外気通路６に通じる外気取入口６１が形成されている。また、小屋裏換気路６２は、上記鉄骨梁２のウェブに形成された開口を通り上記外気通路６に通じている。上記ウェブに形成された開口には耐火材からなる耐火筒部６３が設けられている。また、シート状の耐火材６４によって、上記鉄骨梁２の屋外側および屋内側が被覆されている。なお、上記鉄骨梁２の下部側では、上記シート状の耐火材６４の下端側を、上記外壁パネル３の裏面のグラスウール側に至らせている。また、上記鉄骨梁２の上部側において、上記シート状の耐火材６４の上端側を、上記脚部５１、５１間から上記他の屋根材１２の下面側に至らせている。
【００２２】
そして、上述したように、上記最も端側の屋根材１１が上記他の屋根材１２よりも薄肉で上記他の屋根材１２と上面が略面一に設けられていることで、空間部６０が形成されている。換言すれば、上記支持金具５の上記嵩上げ部５３によって、上記空間部６０が形成される。この空間部６０は、上記外気通路６の上側部を構成することになる。
【００２３】
上記外壁パネル３の上端よりも上側を構成する上記壁面部３１は、例えば、下地材となる珪酸カルシウム板からなる。そして、上記壁面部３１を覆うように鼻隠し板が固定されており、この鼻隠し板に軒樋８１が取り付けられている。さらに、上記軒樋８１よりも上側の位置に上記外気取入口６１が形成されている。
【００２４】
また、上記軒樋８１よりも上側に軒先部（水切り）８２が取り付けられている。この軒先部８２は、下側板８２ａを備えており、この下側板８２ａによって通気部を形成している。そして、この軒先部８２の下側板８２ａと上記軒樋８１との間に、換気装置８３が設けられている。この換気装置８３の上面部は、上記通気部に通じ、この通気部を通じて上記外気取入口６１に通じている。上記換気装置８３は、従来鋼で示した特許文献２に開示された軒下換気装置と同じ水返し構造を有するが、このような構造に限定されるものではない。上記換気装置８３から取り入れられた外気は、上記通気部、上記外気取入口６１、上記空間部６０および上記外気通路６を通じて、上記耐火筒部６３から上記小屋裏換気路６２へと至る。
【００２５】
上記の構成であれば、上記外気通路６は上記支持金具５の配置箇所を通るように形成されているので、上記外壁パネル３の上端を上記支持金具５の箇所に近づけても上記外気通路６を確保することが容易である。よって、外壁パネル３の上端を陸屋根１に極力近づけつつ、確実な換気を行うことが可能になる。また、例えば、建方工事にて上記最も端側の屋根材１１を固定した後でも、上記外気通路６を利用して屋外側から上記鉄骨梁２の屋外側の耐火材６４の被覆工事を行うことを可能にできるので、上記鉄骨梁２の屋外側の耐火材６４の被覆工事のために上記最も端側の屋根材１１の固定作業を遅らせる必要がなく、作業が効率的になる。
【００２６】
上記陸屋根１の最も端側の屋根材１１が他の屋根材１２よりも薄肉であることで形成される上記空間部６０によって上記外気通路６の上側部が構成されると、外壁パネル３の上端を陸屋根１に極力近づけても、上記外気通路６において所要の容量を確保することが容易になる。
【００２７】
また、上記換気装置８３や軒先部８２が上記軒樋８１によって隠されると、建物の美観が向上する。
【００２８】
なお、上記の例では、上記板部材５２を上記鉄骨梁２の延設方向に長尺に形成することで上記支持金具５を長尺物として作製したが、これに限らず、上記支持金具５を例えば上記脚部５１の幅寸法のピース物として作製し、これを点在配置するようにしてもよい。また、上記壁面部３１は、下地材となる珪酸カルシウム板により構成されたが、これに限らず、上記外壁パネル３と同様に構成されてもよい。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１      陸屋根
１１    最も端側の屋根材
１２    他の屋根材
２      鉄骨梁
３      外壁パネル（外壁材）
５      支持金具
５１    脚部
５２    板部材
５３    嵩上げ部
６      外気通路
６０    空間部
６１    外気取入口
６２    小屋裏換気路
６３    耐火筒部
８１    軒樋
８２    軒先部
８３    換気装置
【図１】
0006773394.tif 000002
【図２】
0006773394.tif 000003
【図３】
0006773394.tif 000004